(57)【要約】本発明は、数多くのアクセサリ（ＡＣＣ）のための取り付け設備を備えたスチル写真のためのカメラボディ（ＣＢ）に関し、該カメラボディはさらに該カメラボディにおけるかつ該カメラボディに取り付けられたアクセサリにおける機能を制御するための制御ユニットを備える。前記制御ユニットはデータバスを介して種々のアクセサリと通信し、かつアクセサリのための前記取り付け設備の少なくとも１つに対して、前記データバスに加えて、前記カメラボディは取り付けられまたは取り外されたアクセサリを検出するための別個の通信手段（１，２，３，４，５）を備え、該別個の通信手段はまた取り付けられたアクセサリのシステム状態の変更を開始するため前記カメラボディにおける制御ユニットによって使用できる。本発明はまたそのようなカメラボディのためのアクセサリに関する。
2005538410.tif 000002
【特許請求の範囲】
【請求項１】
数多くの異なるアクセサリ（ＡＣＣ）のための取り付け設備を備えたスチル写真撮影用のカメラボディ（ＣＢ）であって、該カメラボディはさらに該カメラボディにおけるおよび該カメラボディに取り付けられたアクセサリにおける機能を制御するための制御ユニットを具備し、該制御ユニットはデータバスを介して前記種々のアクセサリと通信し、前記カメラボディはアクセサリが取り付けられた時に少なくとも２つの異なるシステム状態を取ることができ、前記アクセサリのための取り付け設備の内の少なくとも１つに対して、前記データバスに加えておよび前記データバスとは別個に、前記カメラボディは前記少なくとも１つのアクセサリを備えた前記カメラボディが前記システム状態のいずれであるかに関わりなく前記カメラボディへのアクセサリの取り付けまたは前記カメラボディからのアクセサリの取り外しの自動検出を行なうために通信のための別個の手段（１，２，３，４，５）を具備し、前記通信のための別個の手段はまた取り付けられたアクセサリのシステム状態の変更を開始するために前記カメラボディにおける制御ユニットによって使用できることを特徴とするカメラボディ（ＣＢ）。
【請求項２】
前記通信のための別個の手段（１，２，３，４，５）はまた前記カメラボディおよび取り付けられたアクセサリのシステム状態の変更を取り付けられたアクセサリによって開始させることができることを特徴とする請求項１に記載のカメラボディ。
【請求項３】
前記通信のための別個の手段によって検出された新しいアクセサリの取り付けによって前記カメラボディにおける制御ユニットおよび取り付けられたアクセサリの間で前記データバスを介して通信を開始できることを特徴とする請求項１または２に記載のカメラボディ。
【請求項４】
前記通信のための別個の手段を介して開始されたアクセサリのシステム状態の変更によって前記カメラボディにおける制御ユニットおよび前記取り付けられたアクセサリの間で前記データバスを介して通信を開始することができることを特徴とする請求項１または２に記載のカメラボディ。
【請求項５】
好ましくは請求項１に記載のカメラボディである、カメラボディ（ＣＢ）のためのアクセサリ（ＡＣＣ）であって、制御のための手段および前記カメラボディにおけるデータバスへの接続のための手段を備え、前記アクセサリは、さらに、前記カメラボディによって前記アクセサリのシステム状態を監視するために前記カメラボディにおける対応する別個の通信手段への接続のための別個の通信のための手段（１’，６，７）を具備し、該通信のための別個の手段はまたアクセサリにおける制御手段によってそれ自身のシステム状態の変更を開始するために使用できることを特徴とするアクセサリ（ＡＣＣ）。
【請求項６】
前記通信のための別個の手段はまた前記カメラボディおよび前記カメラボディに取り付けられた他のユニットのシステム状態の変更を開始することを要求するために前記アクセサリの制御手段によって使用できることを特徴とする請求項５に記載のアクセサリ。
【発明の詳細な説明】
【技術分野】
【０００１】
本発明は、写真撮影のためのモジュール式のシステムで構成されたカメラボディに関し、レンズ、フラッシュユニット、マガジンその他のような多数の異なるアクセサリを該カメラボディに取り付け可能なシステムに関する。本発明はまたそのようなモジュール式のシステムに構成されたアクセサリに関する。
【背景技術】
【０００２】
モジュール式のカメラシステムの中央ユニットはカメラボディからなり、該カメラボディは、例えば、レンズ、フラッシュユニットおよび種々の形式のマガジンのような、異なるタイプの多数のアクセサリと組み合わせることができる。これらのアクセサリは該システムにおける他の取り付けられた構成要素の状態に関わりなく、原則として任意の時間に取り付けかつ取り外すことができなければならない。カメラボディにおいては、該カメラボディおよび取り付けられたアクセサリを制御するための制御ユニットが設けられ、該制御ユニットはシステムを正しく制御することができるようにするためどのような異なる形式のアクセサリが取り付けられたかに関する情報を必要とする。したがって、この制御ユニットがどのアクセサリが取り付けられかつ、もちろん、ある特定のアクセサリが取り外されたかに関する情報を迅速かつ信頼性ある方法で受信することが重要である。
【０００３】
もしあるアクセサリがカメラシステムが電源オフの場合にあるいはエネルギ節約モード（ｅｎｅｒｇｙ−ｓａｖｉｎｇ  ｍｏｄｅ）において取り付けられれば、このアクセサリとカメラの中央制御ユニットの間の情報の交換が該アクセサリが取り付けられると直ちに実行されることも重要である。もしカメラの中央制御ユニットと新しく取り付けられたアクセサリとの間の情報の交換が撮影者がカメラの電源スイッチをオンにするまで待たなければならないとすれば、これは必要な時に彼がカメラを使用する能力を遅延させる。同様に、もちろん、中央ユニットはある特定のアクセサリが除去されたという情報を、これがカメラの電源がオンの間、電源がオフの間あるいはエネルギ節約モードの間に行なわれたか否かに関わりなく、受信することが重要である。
【特許文献１】米国特許第５，２８７，１３８号明細書
【特許文献２】米国特許第４，７８２，３５５号明細書
【発明の開示】
【発明が解決しようとする課題】
【０００４】
したがって、モジュール式のシステムにおけるカメラボディと該カメラボディに取り付け可能なユニットまたはアクセサリとの間の通信設備を改善することが要望される。
【課題を解決するための手段】
【０００５】
この要望は本発明によって満たされ、本発明はスチル写真撮影のためのカメラボディを提供し、該カメラボディは数多くの異なるアクセサリのための取り付け設備を備え、かつさらに前記カメラボディにおけるかつ前記カメラボディに取り付けられたアクセサリにおける機能を制御するための制御ユニットを備えている。該制御ユニットはデータバスを介して種々のアクセサリと通信し、かつ前記カメラボディはアクセサリがそこに取り付けられた時に少なくとも２つの異なるシステム状態を取ることができる。
【０００６】
アクセサリのための取り付け設備の少なくとも１つのために、前記カメラボディは、前記データバスに加えてかつ前記データバスとは別に、前記カメラボディが前記システム状態のいずれにあっても、前記カメラボディに対してアクセサリを取り付けたことまたは前記カメラボディからアクセサリを取り外したことを自動的に検出するための別個の通信手段を備えている。これらの別個の通信手段はまた取り付けられたアクセサリのシステム状態の変更を開始しまたは起動するために前記カメラボディにおける制御ユニットによって使用することができる。
【０００７】
前記システム状態を検出しかつ変更するための手段は前記データバスとは別個のものであるから、それらは極めてエネルギ効率をよくする方法で設計することができ、これによってカメラシステムの状態に関わりなく、それらの手段を永久的にアクティブであるようにすることができる。このことは、カメラボディにおける中央制御ユニットは取り付けられるアクセサリの変更に関して絶えず更新することができ、これは写真撮影者の時間を節約する。
【０００８】
前記通信のための別個の手段はまた前記カメラボディおよび取り付けられたアクセサリのシステム状態の変更を取り付けられたアクセサリによって開始または起動させることを可能にする。
【０００９】
本発明はまた、好ましくは前に述べたカメラボディである、カメラボディのためのアクセサリに関し、該アクセサリは制御のための手段および前記カメラボディにおけるデータバスへの接続のための手段を具備し、かつさらに、前記アクセサリのシステム状態の前記カメラボディによる監視のために前記カメラボディにおける対応する別個の通信手段への接続のための別個の通信手段を具備する。該別個の通信のための手段はまた前記アクセサリのシステム状態のための変更を開始するために前記アクセサリにおける制御手段によって使用することができる。
【００１０】
本発明に関わるアクセサリにおける前記通信のための別個の手段はまた前記カメラボディおよび前記カメラボディに取り付けられた他のユニットのシステム状態の変更の開始を要求するために前記アクセサリの制御手段によって適切に使用することができる。
【発明の効果】
【００１１】
前記システム状態を検出しかつ変更するための手段は前記データバスとは別個のものであるから、それらは極めてエネルギ効率をよくする方法で設計することができ、これによってカメラシステムの状態に関わりなく、それらの手段を永久的にアクティブであるようにすることができる。このことは、カメラボディにおける中央制御ユニットは取り付けられるアクセサリの変更に関して絶えず更新することができ、これは写真撮影者の時間を節約する。
【発明を実施するための最良の形態】
【００１２】
以下、添付の図面を参照して、例示的な実施例の形式で、本発明につきより詳細に説明する。
本発明は、とりわけ、モジュール方式のカメラシステムの一部であるカメラボディに関する。多数の異なる種類の異なるアクセサリを前記カメラボディに取り付けることができ、該アクセサリは、例えば、異なるタイプのレンズ、フラッシュユニット、ビューファインダ、その他である。前記カメラボディと取り付けられたアクセサリとの間の通信は通常前記カメラボディにおける制御ユニット、例えばプロセッサ、とそれぞれのアクセサリにおける制御ユニットとの間でデータバスによって実行される。
【００１３】
前記データバスは比較的高いエネルギ消費を有し、これは該データバスを絶えずアクティブにしておくことが適切でないことを意味する。それでも、ある状況において前記カメラボディと取り付けられたアクセサリとの間で通信が行なわれることを保証するために、本発明に関わるカメラボディは、データバスに加えて、アクセサリがカメラボディに取り付けられたことまたはアクセサリがカメラボディから取り外されたことを自動的に検出し、かつシステム状態の変更を開始するための別個の手段を備えている。前記システム状態の変更は、本発明によれば、カメラボディの制御ユニットによって開始することができる。本発明の一実施形態では、そのようなシステム状態の変更は、以下に説明する方法で、取り付けられたアクセサリによって開始することもできる。
【００１４】
図１を参照して、アクセサリの取り付け、前記カメラボディによるそのような取り付けの自動検出、およびアクセサリの取り外しについて始めに説明する。
【００１５】
図１は概略的に前記別個の手段の一部を示し、本発明に関わるカメラボディにおける接続部１−１’を示し、アクセサリＡＣＣがカメラボディＣＢに取り付けられている。該カメラボディはデータバス（図示せず）を介して前記アクセサリとデータメッセージを交換し、かつ前記データバスに加えて、前記別個の接続部１−１’を介して前記アクセサリにも接続され、カメラボディとアクセサリとの間の取り付けのポイントは図１において点線８で示されている。
【００１６】
本発明に関わる通信のための前記別個の手段はまた次のようにして前記別個の接続部１−１’を制御するために使用されるインタフェース回路を備えている。すなわち、カメラボディ側においては、該インタフェース回路は接続部１に接続された第１の抵抗３と直列に接続された、好ましくはｐチャネル電界効果トランジスタ（ＦＥＴ）である、第１のトランジスタ２を具備する。該トランジスタはまた電源に接続されており、該トランジスタのソースが該電源に接続されかつ該トランジスタのドレインが前記抵抗３に接続されている。
【００１７】
前記抵抗３は第２のトランジスタ４を介してグランドに接続され、該第２のトランジスタ４もまた好ましくは電界効果トランジスタであるが、ｎチャネル型であり、該第２のトランジスタ４はそのドレインが前記抵抗３に接続され、かつそのソースがグランドに接続されている。前記第２のトランジスタ４と並列に、前記ケーブル１はまた第２の抵抗５を介してグランドに接続されている。前記第１のトランジスタ２および前記第２のトランジスタ４はそれらの制御電圧（電界効果トランジスタの場合は、これらがｎまたはｐチャネル型トランジスタであるか否かに関わりなく、ゲート）を介して前記カメラボディにおける制御ユニットに接続されている。
【００１８】
ＡＣＣの取り付けの前は、ＣＢとＡＣＣとの間の接続１−１’はポイント８において切断されている。前記カメラボディにおける制御ユニットは前記トランジスタ２を導通させ、かつ本発明によれば、前記抵抗３は相対的に低い抵抗を備えて設計されかつ前記抵抗５は相対的に高い抵抗を備えて設計され、これは前記トランジスタ４が非導通にされた場合にケーブル１のレベルがハイになることを意味する。
【００１９】
抵抗３および５の抵抗の正確な大きさは本発明にとってそれ程重要ではないが、抵抗３が抵抗５よりも十分により低い抵抗値を有することが重要である。一例として、抵抗５は抵抗３よりも１０〜１００倍のオーダーで大きなものとすることができ、かつ抵抗値は抵抗３に関してはほぼ１００キロオーム（ｋΩ）とすることができ、従って抵抗５はその結果ほぼ１〜１０メグオーム（ＭΩ）とすべきである。
【００２０】
カメラボディにおける前記制御ユニットは前記ケーブル１の電圧レベルを監視し、好ましくは前記ケーブル１は前記制御ユニットにおけるいわゆる「割込み（ｉｎｔｅｒｒｕｐｔ）」入力に接続される。
【００２１】
ＡＣＣが取り付けられた時、カメラボディにおける前記別個のケーブル１はＡＣＣにおける対応する別個のケーブル１’に接続され、ＡＣＣにおける該別個のケーブル１’は、適切にはＡＣＣのプロセッサにおける「割込み」によって、ＡＣＣの制御ユニット（図示せず）に接続され、それによってＡＣＣにおけるプロセッサはケーブル１−１’のレベルを監視することができる。ＡＣＣはまた前記ケーブル１’を介して通信するための数多くのあるいは幾つかのインタフェース回路を備え、これは図１の例においては電源と前記ケーブル１’の間に接続された抵抗６および、適切にはｎチャネル電界効果トランジスタである、トランジスタ７によって構成される。トランジスタ７はそのドレインによって前記ケーブル１’に接続され、かつそのソースによってグランドに接続されている。該トランジスタの制御電圧、ゲート、はＡＣＣにおける前記制御ユニットに接続されている。
【００２２】
ＡＣＣの取り付けに応じて、ＡＣＣは前記カメラボディからこのための別個の接続（図示せず）を介して電源を受け取る。本発明によれば、前記抵抗６は、前記抵抗３と同じオーダーの大きさの、この場合１００キロオーム（ｋΩ）の比較的低い抵抗を有し、かつＡＣＣにおける制御ユニットに接続された制御電圧を有する前記トランジスタ７はＡＣＣにおける制御ユニットによって非導通にされ、これは前記ケーブル１の状態（ハイ）に何らの変化も起こらないことを意味する。
【００２３】
電圧が与えられた後、ＡＣＣはスタートアップしかつその内部スタートアップ・ルーチンに移行する。ＡＣＣの内部の制御ユニットは前記トランジスタ７を導通状態にし、これは前記ケーブル１−１’のレベルがローに変えられることを意味する。このレベルの変化はＣＢにおける前記プロセッサによって検出され、該プロセッサは前記トランジスタ２を非導通にしかつカメラシステムのデータバス（これはもしそれがその時点でパワーダウン・モードにあれば前記制御ユニットによって「目覚めさせる（ａｗａｋｅｎｅｄ）」ことができる）を介して、前記ケーブル１−１’のレベル変化が検出されたことを意味するメッセージをＡＣＣの制御ユニットに送り、これは、例えば、ＡＣＣからの識別に関する、ＡＣＣおよびＣＢにおける制御ユニットの間のデータバスによって情報の交換を開始させる。したがって、通信のための前記別個の手段は前記カメラボディにおける制御ユニットをイネーブルし、取り付けの時点で前記データバスが「パワーアップ」されていなかった場合でも、ＡＣＣの取り付けを自動的に検出する。
【００２４】
ＡＣＣから識別メッセージを受信した後、ＣＢの制御ユニットはその特性および状態に関してＡＣＣからの情報の要求と共にメッセージを前記データバスを介してＡＣＣに送ることによって応答する。この要求はＡＣＣによって受信され、かつその制御ユニットは前記データバスを介して要求された情報によって返答することにより受信を確認する。ＣＢにおける制御ユニットはどのシステム状態が適用されるかに関してＡＣＣにメッセージを送り、これは好ましい実施形態においては前記データバスによる情報の交換の最後に行なわれる。前記データバスによる情報の交換に関連して、ＡＣＣの制御ユニットは前記トランジスタ７を非導通にし、それに応じて前記ケーブル１−１’のレベルがハイに変化する。
【００２５】
「ノーマルモード」においては、言い換えればＡＣＣが取り付けられている場合は、前記トランジスタ２，４および７は従って非導通になり、これは前記ケーブル１−１’のレベルがハイであることを意味する。
【００２６】
ＡＣＣの取り外しに応じて、以下の動作が行なわれる。すなわち、ＡＣＣが取り付けられた場合には、ＣＢにおける前記トランジスタ２および４は非導通であり、ＡＣＣにおける前記トランジスタ７も同様である。ユーザによってＡＣＣが除去された場合、前記接続１−１’はポイント８で切断され、これはＡＣＣにおける抵抗６を介しての前記ケーブルへの電源供給が遮断されることを意味する。これは前記ケーブル１−１’のレベルがＣＢにおける前記抵抗５によってローに変化し、これがＣＢにおける制御ユニットによって検出され、それによってＣＢがＡＣＣが除去されたことを意味する情報を得、かつ従ってどのアクセサリがＣＢに取り付けられているかに関する情報を更新することができる。ＣＢにおける制御ユニットがそれによって前記接続１−１’のローレベルがＡＣＣが切断されたことを意味することを推定する正確なメカニズムについては後に説明する。
【００２７】
ＣＢにおける制御ユニットがＡＣＣが除去されたことを検出した時、それは前記トランジスタ２を再び導通させ、それに応じて前記ケーブル１−１’のレベルはハイに戻り、これはＣＢが上で述べた方法に従って新しいＡＣＣの取り付けのための準備ができていることを意味する。
【００２８】
上述においては、ＣＢにおける発明要素１，２，３，４および５、並びにＡＣＣにおける１’，６および７によって前記別個の手段を使用してアクセサリのカメラボディへの取り付けまたはアクセサリのカメラボディからの取り外しがどのように検出されるかについて説明した。
【００２９】
本発明に関わるカメラボディおよびアクセサリが含まれるカメラシステムは数多くのいわゆる「システム状態（ｓｙｓｔｅｍ  ｓｔａｔｅｓ）」をとることができ、かつ前記別個の手段はまた該システム状態を変更する場合に使用でき、該変更は前記カメラボディによりあるいは前記カメラボディに取り付けられたアクセサリにより開始することができる。現在利用可能なシステム状態は次の通りである。
【００３０】
「アクティブ状態」：カメラが電源投入（または給電）されている（ｐｏｗｅｒｅｄ）状態であり、直ちに写真を撮ることが可能である。
【００３１】
「スタンバイ／パワーダウン」：パワーセイビング・スリープモードであり、ある遅延時間をもって写真の撮影が可能である。
【００３２】
「パワーオフ」：システムが給電されていない状態である。
【００３３】
「マグアクティブ（Ｍａｇ  ａｃｔｉｖｅ）」：カメラボディに取り付けられたフィルムマガジンにのみ関連する特別の状態である。この状態では、前記マガジンは給電され、これはフィルムを送ることができることを意味する。システムの他の構成要素は前記「スタンバイ／パワーダウン」に対応する状態を有する。
【００３４】
上で示した全ての状態において、全ての構成要素はいわゆるシステム電圧を有し、言い換えればそれらには論理回路、例えばマイクロプロセッサその他の動作を可能にする電圧が供給される。アクティブ状態への（あるいは、マガジンのための「マグアクティブ」状態への）変化と共に、この電圧に加えて、それらは完全な機能、例えば、機械的要素の動作、フラッシュユニットの充電その他のためのさらなる供給電圧が与えられる。
【００３５】
上で示した状態は懸案のシステムのために現在予見できるものである。しかしながら、当業者は本発明は実際上任意の状態の間の変更のために使用できることを理解するであろう。
【００３６】
図２は再び「ノーマル状態（ｎｏｒｍａｌ  ｓｔａｔｅ）」におけるＣＢとＡＣＣとの間のインタフェースを示す。それぞれの制御ユニットによって導通状態にされている構成要素は太線で示され、一方非導通にされている構成要素への接続は充填線（ｆｉｌｌｉｎｇ）を備えたラインで示されている。したがって、図２において、ＣＢにおけるトランジスタ２および４並びにＡＣＣにおけるトランジスタ７は、ＣＢにおける抵抗３と同様に、非導通である。これに対し、抵抗５（ＣＢ）および６（ＡＣＣ）は導通している。
【００３７】
図３を参照すると、ＡＣＣが、好ましくは全体としてのカメラ、すなわち、アクセサリが取り付けられたカメラボディの、システム状態の変更を開始することを希望する場合、その制御ユニットはトランジスタ７を導通状態にし、これはケーブル１−１’の電圧レベルをローになるようにさせ、これはＣＢにおける制御ユニットによって検出される。
【００３８】
前記ケーブルがローレベルであることは、上に述べたようにして、ＡＣＣがシステム状態の変更を開始することを希望しているか、あるいはＡＣＣが取り外されたかを意味することができる。ＣＢにおける制御ユニットは従って該ケーブルのローレベルの原因を調べなければならず、これは抵抗３を接続することによって行なわれ、従ってこれはトランジスタ２を導通状態にすることによって行なわれる。図４を参照。もしローレベルへの検出された変化がＡＣＣが取り外されたことによるものであれば、前記ケーブルのレベルはこれらの措置によりハイにされることになる。示された例では、ＡＣＣは依然として存在するから、前記レベルは抵抗６および（導通している）トランジスタ７により、ローに留まっている。
【００３９】
ＣＢにおける制御ユニットはいまや前記ケーブル１−１’のローレベルへの変化はＡＣＣがシステム状態の変更を開始（または起動）することを望んでいるためであったことを認識したため、システムの通常のデータバスを介してこの変化または変更に関するメッセージの交換を行なうことができる。好ましい実施形態では、これはＣＢにおける制御ユニットによってシステム変更の要求が理解されたというアクノレッジメントをＡＣＣに送ることによって実行され、その後要求されるシステム変更に関するメッセージの交換が行なわれる。好ましい実施形態では、ＣＢは全ての他の取り付けられたユニットを１つのおよび同じシステム状態に設定する。その結果、１つの単一のアクセサリがシステムにおける全てのユニットのシステム状態を変更することができる。
【００４０】
必要とされるメッセージの交換が完了した時、ケーブル１−１’のレベルはＣＢにおける制御ユニットによってトランジスタ２および４を非導通にし、かつＣＢにおける制御ユニットがトランジスタ７を非導通にすることによって、ハイにリセットされる。これは抵抗３（ＣＢ）および６（ＡＣＣ）もまた非導通になることを意味する。これに応じて、ＣＢおよびＡＣＣの間のインタフェースは、図５に示される、ノーマル状態に戻る。
【００４１】
前記別個の通信手段はまたＣＢがＡＣＣにおけるシステム状態の変更を開始することを希望する場合に使用することができ、このＡＣＣにおけるシステム状態の変更はＣＢがそれに対して前に説明した別個の通信手段を備えている各々のＡＣＣに対して個別に行なうことができる。好ましい実施形態では、これは全てのＡＣＣに適用される。ＣＢは次のようにして処理を進める。すなわち、ＣＢにおける制御ユニットは前記トランジスタ４を導通させ、これは前記ケーブル１−１’のレベルがローになるようにする。これはＡＣＣにおける制御ユニットを「目覚めさせ（ｗａｋｅｓ）」、これは前記通常のデータバスを介してメッセージをＣＢの制御ユニットに送り、ＣＢの制御ユニットにおいてＡＣＣが変更された状態に関するＣＢからのメッセージを受信する用意ができていることを確認する。その後、前記データバスを介して新しいシステム状態に関するメッセージの交換が行なわれ、その後ＣＢの制御ユニットは再び前記トランジスタ４を非導通にし、これは前記ケーブル１−１’のレベルがノーマル状態、言い換えればハイ、に戻ることを意味する。
【００４２】
上で述べた場合に加えて、本発明に関わる通信のための前記別個の手段は数多くの他の用途に使用することができ、それらの用途の内の２つを以下に説明する。
【００４３】
もし、例えば、それ自身のバッテリを備えたデジタルバック（ｄｉｇｉｔａｌ  ｂａｃｋ）が何らかの理由のため、例えば、失念（ｆｏｒｇｅｔｆｕｌｎｅｓｓ）または故障のため、給電されなければ、これは露出を行なうことができないことを意味する。前記フィルムマガジンが給電されないという事実もまた前記別個のケーブル１−１’がローになることを意味し、これはノーマル状態（ｎｏｒｍａｌ  ｓｔａｔｅ）ではない。ＣＢにおける制御ユニットはこれを検出し、かつもし前記マガジンへのケーブルのローレベルが残っておれば、数多くの対策を取ることができ、例えば、写真撮影者に警告信号を与え、ディスプレイに警告テキストを表示し、警告用ダイオード、その他を使用し、あるいは前記問題が残っている限り単に露出を阻止することができる。アクセサリの状態のこの監視、この場合マガジンの状態の監視、は本発明に関わる通信のための手段が関連するアクセサリのために別個のものとすることにより大幅に簡略化することができる。
【００４４】
本発明に関わる前記別個の通信のための手段を使用する更なる可能性は次の通りである。あるアクセサリ、例えば、デジタルバック、は比較的長いスタートアップ時間を必要とすることがあり、その時間の間にそれらは完全な機能のために利用できない。そのようなアクセサリにおける制御ユニットはこのことをＣＢの制御ユニットに、問題のＡＣＣにおける制御ユニットが前記ケーブル１−１’のレベルをある特定の所定のパターンに従って変更することによって通知し、これはＡＣＣにおける制御ユニットによって前記トランジスタ７を導通させ（ローレベル）および非導通（ハイレベル）にすることによって実行される。
【００４５】
ＣＢにおける制御ユニットは上で述べた新しいアクセサリを取り付けるための通常の方法を開始するよう試みるが、ＡＣＣから「正しい」返答を受けることがなく、それに応じて１つまたはそれ以上の対策が行なわれ、例えば、上で述べたような対策が取られ、言い換えれば警告信号が写真撮影者に与えられ、ディスプレイに警告テキストが表示され、警告ダイオードその他を使用し、あるいは前記ケーブルのレベルが正常に戻るまで露出を単に阻止することができる。これはＣＢにおける制御ユニットが「正しい」返答をＡＣＣから開始手順へと受けるまで継続される。
【産業上の利用可能性】
【００４６】
本発明は、写真撮影のためのモジュール式のシステムで構成され、多数の異なるアクセサリを取り付け可能なカメラボディ、およびそのようなモジュール式のシステムに使用されるアクセサリに適用できる。
【図面の簡単な説明】
【００４７】
【図１】本発明のカメラボディにおける原理的な解決方法を示す説明図である。
【図２】図１の解決方法のより詳細なシーケンスを示す説明図である。
【図３】図１の解決方法のより詳細なシーケンスを示す説明図である
【図４】図１の解決方法のより詳細なシーケンスを示す説明図である
【図５】図１の解決方法のより詳細なシーケンスを示す説明図である。
【符号の説明】
【００４８】
ＣＢ  カメラボディ
ＡＣＣ  アクセサリ
１−１’  別個の接続部
２  第１のトランジスタ
３  第１の抵抗
４  第２のトランジスタ
５  第２の抵抗
６  抵抗
７  トランジスタ
８  接続ポイント
【図１】
2005538410.tif 000003
【図２】
2005538410.tif 000004
【図３】
2005538410.tif 000005
【図４】
2005538410.tif 000006
【図５】
2005538410.tif 000007
【国際調査報告】
2005538410.tif 000008
2005538410.tif 000009
2005538410.tif 000010